(57)【要約】【課題】「Ｉｎｔｅｒ-ｅＮＢ  ＣＡ」を行っている場合に、「ＲＲＣ  ｃｏｎｎｅｃｔｉｏｎ  ｒｅｃｏｎｆｉｇｕｒａｔｉｏｎ  ｃｏｍｐｌｅｔｅ」の送信遅延を回避する。【解決手段】本発明に係る移動局ＵＥは、無線基地局ｅＮＢ＃１から「ＲＲＣ  ｃｏｎｎｅｃｔｉｏｎ  ｒｅｃｏｎｆｉｇｕｒａｔｉｏｎ  ＃１」が受信された後に、無線基地局ｅＮＢ＃２から「ＲＲＣ  ｃｏｎｎｅｃｔｉｏｎ  ｒｅｃｏｎｆｉｇｕｒａｔｉｏｎ  ＃２」が受信された場合、「ＲＲＣ  ｃｏｎｎｅｃｔｉｏｎ  ｒｅｃｏｎｆｉｇｕｒａｔｉｏｎ  ＃１」に対する「ＲＲＣ  ｃｏｎｎｅｃｔｉｏｎ  ｒｅｃｏｎｆｉｇｕｒａｔｉｏｎ  ｃｏｍｐｌｅｔｅ」の送信が完了した後に、「ＲＲＣ  ｃｏｎｎｅｃｔｉｏｎ  ｒｅｃｏｎｆｉｇｕｒａｔｉｏｎ  ＃２」に対する処理を行うように構成されているＲＲＣメッセージ処理部１２を具備する。【選択図】図３
2015012359.tif 000002
【特許請求の範囲】
【請求項１】
第１無線基地局配下のセル及び第２無線基地局配下のセルを用いてキャリアアグリゲーションを行うことができるように構成されている移動局であって、
前記第１無線基地局から第１ＲＲＣメッセージが受信された後に、前記第２無線基地局から第２ＲＲＣメッセージが受信された場合、該第１ＲＲＣメッセージに対する処理完了メッセージの送信が完了した後に、該第２ＲＲＣメッセージに対する処理を行うように構成されている処理部を具備することを特徴とする移動局。
【請求項２】
前記処理部は、前記処理完了メッセージをトランスポートブロックにマッピングした場合、該処理完了メッセージの送信が完了したと判断するように構成されていることを特徴とする請求項１に記載の移動局。
【請求項３】
前記処理部は、前記処理完了メッセージがマッピングされたＭＡＣ-ＰＤＵに対する送達確認メッセージが受信された場合、該処理完了メッセージの送信が完了したと判断するように構成されていることを特徴とする請求項１に記載の移動局。
【請求項４】
前記処理部は、前記処理完了メッセージがマッピングされたＲＬＣ-ＰＤＵに対する送達確認メッセージが受信された場合、該処理完了メッセージの送信が完了したと判断するように構成されていることを特徴とする請求項１に記載の移動局。
【請求項５】
前記処理部は、前記処理完了メッセージを送信してから所定時間経過後に、該処理完了メッセージの送信が完了したと判断するように構成されていることを特徴とする請求項１に記載の移動局。
【請求項６】
前記所定期間は、ネットワークによって通知されるように構成されていることを特徴とする請求項５に記載の移動局。
【発明の詳細な説明】
【技術分野】
【０００１】
本発明は、移動局に関する。
【背景技術】
【０００２】
ＬＴＥ（Ｌｏｎｇ  Ｔｅｒｍ  Ｅｖｏｌｕｔｉｏｎ）のＲｅｌｅａｓｅ-１０方式において、「ｂａｃｋｗａｒｄ  ｃｏｍｐａｔｉｂｌｅ」を維持しつつ、２０ＭＨｚを超える広帯域通信を実現する制御として、ＣＡ（Ｃａｒｒｉｅｒ  Ａｇｇｒｅｇａｔｉｏｎ）が導入された。
【０００３】
ＣＡでは、複数のＣＣ（Ｃｏｍｐｏｎｅｎｔ  Ｃａｒｒｉｅｒ）を束ねて通信を行い、高スループットを実現することができる。
【０００４】
しかしながら、ＬＴＥのＲｅｌｅａｓｅ-１０方式におけるＣＡ（「Ｉｎｔｒａ-ｅＮＢ  ＣＡ」）では、図４に示すように、「束ねるＣＣは、同一の無線基地局ｅＮＢ配下でなければならない」という制約がある。
【０００５】
このため、通信事業者が、かかるＣＡを行いたい場合には、常に、ＣＣが、同一無線基地局ｅＮＢ配下になるようにネットワーク配置（Ｎｅｔｗｏｒｋ  ｄｅｐｌｏｙｍｅｎｔ）を行わなければならず、柔軟なネットワーク配置が難しいという問題点があった。
【０００６】
かかる問題点を解決するために、ＬＴＥのＲｅｌｅａｓｅ-１２方式以降の「ＳＣＥ（Ｓｍａｌｌ  Ｃｅｌｌ  Ｅｎｈａｎｃｅｍｅｎｔ）」における技術の１つとして、図５に示すように、異なる無線基地局ｅＮＢ配下のＣＣを束ねてＣＡを行う「Ｉｎｔｅｒ-ｅＮＢ  ＣＡ」の導入が検討されている。
【０００７】
図６（ａ）に示すように、既存の「Ｉｎｔｒａ-ｅＮＢ  ＣＡ」では、ＲＲＣ（Ｒａｄｉｏ  Ｒｅｓｏｕｒｃｅ  Ｃｏｎｔｒｏｌ）メッセージは、常に１つの無線基地局ｅＮＢから送信されるように構成されている。
【０００８】
これに対して、図６（ｂ）に示すように、「Ｉｎｔｅｒ-ｅＮＢ  ＣＡ」において、各無線基地局ｅＮＢが、それぞれＲＲＣメッセージを送信することが検討されている（例えば、非特許文献１参照）。
【０００９】
例えば、各無線基地局ｅＮＢ専用のコンフィグレーション（例えば、ＰＵＣＣＨ（Ｐｈｙｓｉｃａｌ  Ｕｐｌｉｎｋ  Ｃｏｎｔｒｏｌ  Ｃｈａｎｎｅｌ）リソースや、ＳＲＳリソース等）の設定や変更を行うためのＲＲＣメッセージは、各無線基地局ｅＮＢから移動局ＵＥに対して直接送信されることが想定される。
【００１０】
したがって、移動局ＵＥは、異なる無線基地局ｅＮＢから異なるＲＲＣメッセージを同時に受信する可能性があることが想定される。
【先行技術文献】
【非特許文献】
【００１１】
【非特許文献１】３ＧＰＰ寄書Ｒ２-１３１６７３
【発明の概要】
【発明が解決しようとする課題】
【００１２】
ここで、移動局ＵＥが、異なる無線基地局ｅＮＢから異なる「ＲＲＣ  ｃｏｎｎｅｃｔｉｏｎ  ｒｅｃｏｎｆｉｇｕｒａｔｉｏｎ」を同時に受信した場合、後に受信した「ＲＲＣ  ｃｏｎｎｅｃｔｉｏｎ  ｒｅｃｏｎｆｉｇｕｒａｔｉｏｎ」の内容によっては、先に受信した「ＲＲＣ  ｃｏｎｎｅｃｔｉｏｎ  ｒｅｃｏｎｆｉｇｕｒａｔｉｏｎ」に対する「ＲＲＣ  ｃｏｎｎｅｃｔｉｏｎ  ｒｅｃｏｎｆｉｇｕｒａｔｉｏｎ  ｃｏｍｐｌｅｔｅ」を送信することができない可能性があるという問題点があった。
【００１３】
例えば、後に受信した「ＲＲＣ  ｃｏｎｎｅｃｔｉｏｎ  ｒｅｃｏｎｆｉｇｕｒａｔｉｏｎ」を処理するために、無線通信部における周波数切替処理が必要である場合（例えば、「Ｓｃｅｌｌ  ａｄｄｉｔｉｏｎ/ｒｅｍｏｖａｌ」等）、移動局ＵＥは、かかる「ＲＲＣ  ｃｏｎｎｅｃｔｉｏｎ  ｒｅｃｏｎｆｉｇｕｒａｔｉｏｎ」に対する処理が完了するまで、先に受信した「ＲＲＣ  ｃｏｎｎｅｃｔｉｏｎ  ｒｅｃｏｎｆｉｇｕｒａｔｉｏｎ」に対する「ＲＲＣ  ｃｏｎｎｅｃｔｉｏｎ  ｒｅｃｏｎｆｉｇｕｒａｔｉｏｎ  ｃｏｍｐｌｅｔｅ」を送信することができない可能性があるという問題点があった。
【００１４】
なお、「ＲＲＣ  ｃｏｎｎｅｃｔｉｏｎ  ｒｅｃｏｎｆｉｇｕｒａｔｉｏｎ  ｃｏｍｐｌｅｔｅ」の送信が遅延すると、無線基地局ｅＮＢは、かかる「ＲＲＣ  ｃｏｎｎｅｃｔｉｏｎ  ｒｅｃｏｎｆｉｇｕｒａｔｉｏｎ  ｃｏｍｐｌｅｔｅ」に対応する「ＲＲＣ  ｃｏｎｎｅｃｔｉｏｎ  ｒｅｃｏｎｆｉｇｕｒａｔｉｏｎ」に係る処理が移動強ＵＥ内で完了したか否かについて分からないため、無線基地局ｅＮＢと移動局ＵＥとの間でＲＲＣレベルにおける状態不一致となる期間が、より長くなってしまうという問題点があった。
【００１５】
そこで、本発明は、上述の課題に鑑みてなされたものであり、「Ｉｎｔｅｒ-ｅＮＢ  ＣＡ」を行っている場合に、「ＲＲＣ  ｃｏｎｎｅｃｔｉｏｎ  ｒｅｃｏｎｆｉｇｕｒａｔｉｏｎ  ｃｏｍｐｌｅｔｅ」の送信遅延を回避することができる移動局を提供することを目的とする。
【課題を解決するための手段】
【００１６】
本発明の第１の特徴は、第１無線基地局配下のセル及び第２無線基地局配下のセルを用いてキャリアアグリゲーションを行うことができるように構成されている移動局であって、前記第１無線基地局から第１ＲＲＣメッセージが受信された後に、前記第２無線基地局から第２ＲＲＣメッセージが受信された場合、該第１ＲＲＣメッセージに対する処理完了メッセージの送信が完了した後に、該第２ＲＲＣメッセージに対する処理を行うように構成されている処理部を具備することを要旨とする。
【発明の効果】
【００１７】
以上説明したように、本発明によれば、「Ｉｎｔｅｒ-ｅＮＢ  ＣＡ」を行っている場合に、「ＲＲＣ  ｃｏｎｎｅｃｔｉｏｎ  ｒｅｃｏｎｆｉｇｕｒａｔｉｏｎ  ｃｏｍｐｌｅｔｅ」の送信遅延を回避することができる移動局を提供することができる。
【図面の簡単な説明】
【００１８】
【図１】本発明の第１の実施形態に係る移動通信システムの全体構成図である。
【図２】本発明の第１の実施形態に係る移動局の機能ブロック図である。
【図３】本発明の第１の実施形態に係る移動局の動作を示すフローチャートである。
【図４】従来技術を説明するための図である。
【図５】従来技術を説明するための図である。
【図６】従来技術を説明するための図である。
【発明を実施するための形態】
【００１９】
（本発明の第１の実施形態に係る移動通信システム）
図１乃至図３を参照して、本発明の第１の実施形態に係る移動通信システムについて説明する。
【００２０】
本実施形態に係る移動通信システムは、ＬＴＥ-Ａｄｖａｎｃｅｄ方式の移動通信システムであって、図１に示すように、無線基地局ｅＮＢ＃１と、無線基地局ｅＮＢ＃２とを具備している。
【００２１】
本実施形態に係る移動通信システムでは、移動局ＵＥは、無線基地局ｅＮＢ＃１配下のセル及び無線基地局ｅＮＢ＃２配下のセルを用いて「Ｉｎｔｅｒ-ｅＮＢ  ＣＡ」を行うことができるように構成されている。
【００２２】
図２に示すように、本実施形態に係る移動局ＵＥは、受信部１１と、ＲＲＣメッセージ処理部１２とを具備している。
【００２３】
受信部１１は、無線基地局ｅＮＢ＃１及び無線基地局ｅＮＢ＃２によって送信された各種メッセージを受信するように構成されている。
【００２４】
例えば、移動局ＵＥが、無線基地局ｅＮＢ＃１配下のセル及び無線基地局ｅＮＢ＃２配下のセルを用いて「Ｉｎｔｅｒ-ｅＮＢ  ＣＡ」を行っている場合に、無線基地局ｅＮＢ＃１からＲＲＣメッセージ＃１（例えば、「ＲＲＣ  ｃｏｎｎｅｃｔｉｏｎ  ｒｅｃｏｎｆｉｇｕｒａｔｉｏｎ  ＃１」）を受信し、無線基地局ｅＮＢ＃２からＲＲＣメッセージ＃２（例えば、「ＲＲＣ  ｃｏｎｎｅｃｔｉｏｎ  ｒｅｃｏｎｆｉｇｕｒａｔｉｏｎ  ＃２」）を受信するように構成されている。ここで、ＲＲＣメッセージ＃１及びＲＲＣメッセージ＃２は、異なるＲＲＣメッセージである。
【００２５】
ＲＲＣメッセージ処理部１２は、受信部１１によって受信されたＲＲＣメッセージに対する処理を行うように構成されている。
【００２６】
例えば、移動局ＵＥが、無線基地局ｅＮＢ＃１配下のセル及び無線基地局ｅＮＢ＃２配下のセルを用いて「Ｉｎｔｅｒ-ｅＮＢ  ＣＡ」を行っている場合に、無線基地局ｅＮＢ＃１から「ＲＲＣ  ｃｏｎｎｅｃｔｉｏｎ  ｒｅｃｏｎｆｉｇｕｒａｔｉｏｎ  ＃１」が受信された後に、無線基地局ｅＮＢ＃２から「ＲＲＣ  ｃｏｎｎｅｃｔｉｏｎ  ｒｅｃｏｎｆｉｇｕｒａｔｉｏｎ  ＃２」が受信された場合、ＲＲＣメッセージ処理部１２は、「ＲＲＣ  ｃｏｎｎｅｃｔｉｏｎ  ｒｅｃｏｎｆｉｇｕｒａｔｉｏｎ  ＃１」に対する「ＲＲＣ  ｃｏｎｎｅｃｔｉｏｎ  ｒｅｃｏｎｆｉｇｕｒａｔｉｏｎ  ｃｏｍｐｌｅｔｅ」の送信が完了した後に、「ＲＲＣ  ｃｏｎｎｅｃｔｉｏｎ  ｒｅｃｏｎｆｉｇｕｒａｔｉｏｎ  ＃２」に対する処理を行うように構成されている。
【００２７】
ここで、ＲＲＣメッセージ処理部１２は、「ＲＲＣ  ｃｏｎｎｅｃｔｉｏｎ  ｒｅｃｏｎｆｉｇｕｒａｔｉｏｎ  ＃１」に対応する「ＲＲＣ  ｃｏｎｎｅｃｔｉｏｎ  ｒｅｃｏｎｆｉｇｕｒａｔｉｏｎ  ｃｏｍｐｌｅｔｅ」をトランスポートブロックにマッピングした場合（無線通信機能に送出したタイミングで）、かかる「ＲＲＣ  ｃｏｎｎｅｃｔｉｏｎ  ｒｅｃｏｎｆｉｇｕｒａｔｉｏｎ  ｃｏｍｐｌｅｔｅ」の送信が完了したと判断するように構成されていてもよい。
【００２８】
或いは、ＲＲＣメッセージ処理部１２は、「ＲＲＣ  ｃｏｎｎｅｃｔｉｏｎ  ｒｅｃｏｎｆｉｇｕｒａｔｉｏｎ  ＃１」に対応する「ＲＲＣ  ｃｏｎｎｅｃｔｉｏｎ  ｒｅｃｏｎｆｉｇｕｒａｔｉｏｎ  ｃｏｍｐｌｅｔｅ」がマッピングされたＭＡＣ-ＰＤＵに対する「ＭＡＣ-ＡＣＫ」が受信された場合、かかる「ＲＲＣ  ｃｏｎｎｅｃｔｉｏｎ  ｒｅｃｏｎｆｉｇｕｒａｔｉｏｎ  ｃｏｍｐｌｅｔｅ」の送信が完了したと判断するように構成されていてもよい。
【００２９】
或いは、ＲＲＣメッセージ処理部１２は、「ＲＲＣ  ｃｏｎｎｅｃｔｉｏｎ  ｒｅｃｏｎｆｉｇｕｒａｔｉｏｎ  ＃１」に対応する「ＲＲＣ  ｃｏｎｎｅｃｔｉｏｎ  ｒｅｃｏｎｆｉｇｕｒａｔｉｏｎ  ｃｏｍｐｌｅｔｅ」がマッピングされたＲＬＣ-ＰＤＵに対する「ＲＬＣ-ＡＣＫ」が受信された場合、かかる「ＲＲＣ  ｃｏｎｎｅｃｔｉｏｎ  ｒｅｃｏｎｆｉｇｕｒａｔｉｏｎ  ｃｏｍｐｌｅｔｅ」の送信が完了したと判断するように構成されていてもよい。
【００３０】
或いは、ＲＲＣメッセージ処理部１２は、「ＲＲＣ  ｃｏｎｎｅｃｔｉｏｎ  ｒｅｃｏｎｆｉｇｕｒａｔｉｏｎ  ＃１」に対応する「ＲＲＣ  ｃｏｎｎｅｃｔｉｏｎ  ｒｅｃｏｎｆｉｇｕｒａｔｉｏｎ  ｃｏｍｐｌｅｔｅ」を送信してから所定時間経過後に、かかる「ＲＲＣ  ｃｏｎｎｅｃｔｉｏｎ  ｒｅｃｏｎｆｉｇｕｒａｔｉｏｎ  ｃｏｍｐｌｅｔｅ」の送信が完了したと判断するように構成されていてもよい。
【００３１】
なお、上述の所定期間は、ネットワーク（無線基地局ｅＮＢ＃１又は無線基地局ｅＮＢ＃２）によって通知されるように構成されていてもよい。
【００３２】
以下、図３を参照して、本実施形態に係る移動通信システム、具体的には、本実施形態に係る移動局ＵＥの動作について説明する。
【００３３】
図３に示すように、移動局ＵＥは、無線基地局ｅＮＢ＃１配下のセル及び無線基地局ｅＮＢ＃２配下のセルを用いて「Ｉｎｔｅｒ-ｅＮＢ  ＣＡ」を行っている場合に、ステップＳ１０１において、無線基地局ｅＮＢ＃１によって送信された「ＲＲＣ  ｃｏｎｎｅｃｔｉｏｎ  ｒｅｃｏｎｆｉｇｕｒａｔｉｏｎ  ＃１」に対する処理を行う。
【００３４】
移動局ＵＥは、ステップＳ１０２において、「ＲＲＣ  ｃｏｎｎｅｃｔｉｏｎ  ｒｅｃｏｎｆｉｇｕｒａｔｉｏｎ  ＃１」に対応する「ＲＲＣ  ｃｏｎｎｅｃｔｉｏｎ  ｒｅｃｏｎｆｉｇｕｒａｔｉｏｎ  ｃｏｍｐｌｅｔｅ」の送信が完了した場合には、ステップＳ１０３において、無線基地局ｅＮＢ＃２によって送信された「ＲＲＣ  ｃｏｎｎｅｃｔｉｏｎ  ｒｅｃｏｎｆｉｇｕｒａｔｉｏｎ  ＃２」に対する処理を行う。
【００３５】
一方、移動局ＵＥは、ステップＳ１０２において、「ＲＲＣ  ｃｏｎｎｅｃｔｉｏｎ  ｒｅｃｏｎｆｉｇｕｒａｔｉｏｎ  ＃１」に対応する「ＲＲＣ  ｃｏｎｎｅｃｔｉｏｎ  ｒｅｃｏｎｆｉｇｕｒａｔｉｏｎ  ｃｏｍｐｌｅｔｅ」の送信が完了していない場合には、本動作は、終了する。
【００３６】
以上に述べた本実施形態の特徴は、以下のように表現されていてもよい。
【００３７】
本実施形態の第１の特徴は、無線基地局ｅＮＢ＃１（第１無線基地局）配下のセル及び無線基地局ｅＮＢ＃２（第２無線基地局）配下のセルを用いてＣＡ（キャリアアグリゲーション）を行うことができるように構成されている移動局ＵＥであって、無線基地局ｅＮＢ＃１から「ＲＲＣ  ｃｏｎｎｅｃｔｉｏｎ  ｒｅｃｏｎｆｉｇｕｒａｔｉｏｎ  ＃１（第１ＲＲＣメッセージ）」が受信された後に、無線基地局ｅＮＢ＃２から「ＲＲＣ  ｃｏｎｎｅｃｔｉｏｎ  ｒｅｃｏｎｆｉｇｕｒａｔｉｏｎ  ＃２（第２ＲＲＣメッセージ）」が受信された場合、「ＲＲＣ  ｃｏｎｎｅｃｔｉｏｎ  ｒｅｃｏｎｆｉｇｕｒａｔｉｏｎ  ＃１」に対する「ＲＲＣ  ｃｏｎｎｅｃｔｉｏｎ  ｒｅｃｏｎｆｉｇｕｒａｔｉｏｎ  ｃｏｍｐｌｅｔｅ（処理完了メッセージ）」の送信が完了した後に、「ＲＲＣ  ｃｏｎｎｅｃｔｉｏｎ  ｒｅｃｏｎｆｉｇｕｒａｔｉｏｎ  ＃２」を処理するように構成されているＲＲＣメッセージ処理部１２を具備することを要旨とする。
【００３８】
かかる特徴によれば、移動局ＵＥが、「ＲＲＣ  ｃｏｎｎｅｃｔｉｏｎ  ｒｅｃｏｎｆｉｇｕｒａｔｉｏｎ  ＃１」に対する「ＲＲＣ  ｃｏｎｎｅｃｔｉｏｎ  ｒｅｃｏｎｆｉｇｕｒａｔｉｏｎ  ｃｏｍｐｌｅｔｅ」の送信が完了した後に、「ＲＲＣ  ｃｏｎｎｅｃｔｉｏｎ  ｒｅｃｏｎｆｉｇｕｒａｔｉｏｎ  ＃２」を処理するため、「ＲＲＣ  ｃｏｎｎｅｃｔｉｏｎ  ｒｅｃｏｎｆｉｇｕｒａｔｉｏｎ  ＃２」を処理するために、無線通信部における周波数切替処理が必要である場合であっても、「ＲＲＣ  ｃｏｎｎｅｃｔｉｏｎ  ｒｅｃｏｎｆｉｇｕｒａｔｉｏｎ  ＃１」に対する「ＲＲＣ  ｃｏｎｎｅｃｔｉｏｎ  ｒｅｃｏｎｆｉｇｕｒａｔｉｏｎ  ｃｏｍｐｌｅｔｅ」の送信遅延を回避することができる。
【００３９】
本実施形態の第１の特徴において、ＲＲＣメッセージ処理部１２は、上述の「ＲＲＣ  ｃｏｎｎｅｃｔｉｏｎ  ｒｅｃｏｎｆｉｇｕｒａｔｉｏｎ  ｃｏｍｐｌｅｔｅ」をトランスポートブロックにマッピングした場合、かかる「ＲＲＣ  ｃｏｎｎｅｃｔｉｏｎ  ｒｅｃｏｎｆｉｇｕｒａｔｉｏｎ  ｃｏｍｐｌｅｔｅ」の送信が完了したと判断するように構成されていてもよい。
【００４０】
かかる特徴によれば、上述の「ＲＲＣ  ｃｏｎｎｅｃｔｉｏｎ  ｒｅｃｏｎｆｉｇｕｒａｔｉｏｎ  ｃｏｍｐｌｅｔｅ」をトランスポートブロックにマッピングした後に、無線通信部における周波数切替処理が必要である「ＲＲＣ  ｃｏｎｎｅｃｔｉｏｎ  ｒｅｃｏｎｆｉｇｕｒａｔｉｏｎ  ＃２」を処理しても、支障なく、上述の「ＲＲＣ  ｃｏｎｎｅｃｔｉｏｎ  ｒｅｃｏｎｆｉｇｕｒａｔｉｏｎ  ｃｏｍｐｌｅｔｅ」を送信することができる。
【００４１】
本実施形態の第１の特徴において、ＲＲＣメッセージ処理部１２は、上述の「ＲＲＣ  ｃｏｎｎｅｃｔｉｏｎ  ｒｅｃｏｎｆｉｇｕｒａｔｉｏｎ  ｃｏｍｐｌｅｔｅ」がマッピングされたＭＡＣ-ＰＤＵに対する「ＭＡＣ-ＡＣＫ（送達確認メッセージ）」が受信された場合、かかる「ＲＲＣ  ｃｏｎｎｅｃｔｉｏｎ  ｒｅｃｏｎｆｉｇｕｒａｔｉｏｎ  ｃｏｍｐｌｅｔｅ」の送信が完了したと判断するように構成されていてもよい。
【００４２】
かかる特徴によれば、上述の「ＲＲＣ  ｃｏｎｎｅｃｔｉｏｎ  ｒｅｃｏｎｆｉｇｕｒａｔｉｏｎ  ｃｏｍｐｌｅｔｅ」がマッピングされたＭＡＣ-ＰＤＵに対する「ＭＡＣ-ＡＣＫ」が受信された後に、無線通信部における周波数切替処理が必要である「ＲＲＣ  ｃｏｎｎｅｃｔｉｏｎ  ｒｅｃｏｎｆｉｇｕｒａｔｉｏｎ  ＃２」を処理しても、支障なく、上述の「ＲＲＣ  ｃｏｎｎｅｃｔｉｏｎ  ｒｅｃｏｎｆｉｇｕｒａｔｉｏｎ  ｃｏｍｐｌｅｔｅ」を送信することができる。
【００４３】
本実施形態の第１の特徴において、ＲＲＣメッセージ処理部１２は、上述の「ＲＲＣ  ｃｏｎｎｅｃｔｉｏｎ  ｒｅｃｏｎｆｉｇｕｒａｔｉｏｎ  ｃｏｍｐｌｅｔｅ」がマッピングされたＲＬＣ-ＰＤＵに対する「ＲＬＣ-ＡＣＫ（送達確認メッセージ）」が受信された場合、かかる「ＲＲＣ  ｃｏｎｎｅｃｔｉｏｎ  ｒｅｃｏｎｆｉｇｕｒａｔｉｏｎ  ｃｏｍｐｌｅｔｅ」の送信が完了したと判断するように構成されていてもよい。
【００４４】
かかる特徴によれば、上述の「ＲＲＣ  ｃｏｎｎｅｃｔｉｏｎ  ｒｅｃｏｎｆｉｇｕｒａｔｉｏｎ  ｃｏｍｐｌｅｔｅ」がマッピングされたＭＡＣ-ＰＤＵに対する「ＲＬＣ-ＡＣＫ」が受信された後に、無線通信部における周波数切替処理が必要である「ＲＲＣ  ｃｏｎｎｅｃｔｉｏｎ  ｒｅｃｏｎｆｉｇｕｒａｔｉｏｎ  ＃２」を処理しても、支障なく、上述の「ＲＲＣ  ｃｏｎｎｅｃｔｉｏｎ  ｒｅｃｏｎｆｉｇｕｒａｔｉｏｎ  ｃｏｍｐｌｅｔｅ」を送信することができる。
【００４５】
本実施形態の第１の特徴において、ＲＲＣメッセージ処理部１２は、上述の「ＲＲＣ  ｃｏｎｎｅｃｔｉｏｎ  ｒｅｃｏｎｆｉｇｕｒａｔｉｏｎ  ｃｏｍｐｌｅｔｅ」を送信してから所定時間経過後に、かかる「ＲＲＣ  ｃｏｎｎｅｃｔｉｏｎ  ｒｅｃｏｎｆｉｇｕｒａｔｉｏｎ  ｃｏｍｐｌｅｔｅ」の送信が完了したと判断するように構成されていてもよい。
【００４６】
かかる特徴によれば、上述の「ＲＲＣ  ｃｏｎｎｅｃｔｉｏｎ  ｒｅｃｏｎｆｉｇｕｒａｔｉｏｎ  ｃｏｍｐｌｅｔｅ」を送信してから所定時間経過後に、無線通信部における周波数切替処理が必要である「ＲＲＣ  ｃｏｎｎｅｃｔｉｏｎ  ｒｅｃｏｎｆｉｇｕｒａｔｉｏｎ  ＃２」を処理しても、支障なく、上述の「ＲＲＣ  ｃｏｎｎｅｃｔｉｏｎ  ｒｅｃｏｎｆｉｇｕｒａｔｉｏｎ  ｃｏｍｐｌｅｔｅ」を送信することができる。
【００４７】
本実施形態の第１の特徴において、上述の所定期間は、ネットワークによって通知されるように構成されていてもよい。
【００４８】
かかる特徴によれば、ネットワークが、移動局ＵＥの能力等を考慮して、上述の所定期間を決定することができる。
【００４９】
なお、上述の移動局ＵＥや無線基地局ｅＮＢ＃１/ｅＮＢ＃２の動作は、ハードウェアによって実施されてもよいし、プロセッサによって実行されるソフトウェアモジュールによって実施されてもよいし、両者の組み合わせによって実施されてもよい。
【００５０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ＃１/ｅＮＢ＃２内に設けられていてもよい。また、かかる記憶媒体及びプロセッサは、ディスクリートコンポーネントとして移動局ＵＥや無線基地局ｅＮＢ＃１/ｅＮＢ＃２内に設けられていてもよい。
【００５２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５３】
ｅＮＢ＃１/ｅＮＢ＃２…無線基地局
ＵＥ…移動局
１１…受信部
１２…ＲＲＣメッセージ処理部
【図１】
2015012359.tif 000003
【図２】
2015012359.tif 000004
【図３】
2015012359.tif 000005
【図４】
2015012359.tif 000006
【図５】
2015012359.tif 000007
【図６】
2015012359.tif 000008